(57)【要約】  スプレーガン収容容器コネクタシステム。本システムは、収容容器の蓋と、スプレーガン入口と、相補的な第１及び第２のコネクタフォーマットとを含む。第１及び第２のコネクタフォーマットは、蓋又はスプレーガン入口のいずれか一方が設けられている。第１の形式は、スロットをそれぞれが画定する複数の保持構造体を含む。保持構造体は、全体として円形パターンに配置されている。第２の形式は、スロットと選択的に相互作用するように構成されたステム及びボタンヘッドをそれぞれが含む複数の係止構造体を含む。コネクタフォーマットは、スプレーガン入口を蓋に対して回転させると、係止構造体と、保持構造体のうちの対応するものとの間に楔係合を提供するように構成されている。
2019504753.tif 000002
【特許請求の範囲】
【請求項１】
スプレーガン収容容器コネクタシステムであって、
蓋を含む収容容器と、
スプレーガン入口と、
前記蓋及び前記スプレーガン入口のうちの一方を含み、基部から突出して複数のスロットを画定する複数の保持構造体を含む第１のコネクタフォーマットであって、前記複数の保持構造体が、全体として円形パターンに配置されるとともに互いから周方向に間隔を空けて配置された、第１のコネクタフォーマットと、
前記蓋及び前記スプレーガン入口のうちの他方を含み、前記複数の保持構造体のそれぞれの保持構造体の前記スロットと選択的に相互作用するように構成されたステム及びボタンヘッドをそれぞれが含む複数の係止構造体を含む第２のコネクタフォーマットであって、前記複数の係止構造体が、全体として円形パターンに配置されるとともに互いから周方向に間隔を空けられた、第２のコネクタフォーマットとを備え、
複数の前記コネクタフォーマットは、前記スプレーガン入口が前記蓋に対して回転することで、前記複数の係止構造体と前記複数の保持構造体のうちの対応する保持構造体との間に係合を生じるように構成された、スプレーガン収容容器コネクタシステム。
【請求項２】
前記第１のコネクタフォーマットが前記蓋を含み、前記第２のコネクタフォーマットが前記スプレーガン入口を含む、請求項１に記載のコネクタシステム。
【請求項３】
前記蓋が液体出口を更に含み、更に、前記複数の保持構造体が、前記液体出口の周りに前記液体出口から径方向に間隔を空けて配置された、請求項２に記載のコネクタシステム。
【請求項４】
前記第２のコネクタフォーマットが前記蓋を含み、前記第１のコネクタフォーマットが前記スプレーガン入口を含む、請求項１に記載のコネクタシステム。
【請求項５】
前記蓋が液体出口を更に含み、更に、前記複数の係止構造体が前記液体出口の周りに前記液体出口から径方向に間隔を空けて配置された、請求項４に記載のコネクタシステム。
【請求項６】
前記スプレーガン入口が、スプレーガンに接続するように構成されたアダプタにある、請求項１に記載のコネクタシステム。
【請求項７】
前記アダプタが、管状部材と、スプレーガン入口ポートに接続するように構成されたコネクタ機構とを更に含む、請求項６に記載のコネクタシステム。
【請求項８】
前記第１のコネクタフォーマットが前記アダプタを含み、更に、前記複数の保持体が全体としてＳ字状の形状を形成する、請求項６に記載のコネクタシステム。
【請求項９】
前記スプレーガン入口がスプレーガンと一体である、請求項１〜８のいずれか一項に記載のコネクタシステム。
【請求項１０】
前記複数の保持構造体のそれぞれが、足セグメントと脚セグメントとを画定する保持体を含む、請求項１〜９のいずれか一項に記載のコネクタシステム。
【請求項１１】
前記複数の保持構造体が、複数の前記ボタンヘッドのうちの対応するボタンヘッドのリップと係合するように構成された対応する保持体に沿った溝を更に含む、請求項１〜１０のいずれか一項に記載のコネクタシステム。
【請求項１２】
前記ボタンヘッドが、複数の前記溝のうちの対応する溝に沿って形成された支持面に摺動可能に当接するように構成された係合面を画定する、請求項１１に記載のコネクタシステム。
【請求項１３】
前記係合面が、前記支持面との楔状の境界面を提供するように構成された、請求項１２に記載のコネクタシステム。
【請求項１４】
前記ボタンヘッドの外形が楕円状の形状を画定する、請求項１〜１３のいずれか一項に記載のコネクタシステム。
【請求項１５】
基部から突出して複数のスロットを画定する複数の保持構造体を含む第１のコネクタフォーマットを備え、前記複数の保持構造体が、全体として円形パターンに配置されるとともに互いから周方向に間隔を空けられた、スプレーガン収容容器コネクタシステムアダプタ。
【請求項１６】
適合する第１のコネクタフォーマットの保持構造体のスロットと選択的に相互作用するように構成されたステム及びボタンヘッドをそれぞれが含む複数の係止構造体を含む第２のコネクタフォーマットを備え、前記複数の係止構造体が、全体として円形パターンに配置されるとともに互いから周方向に間隔を空けられた、スプレーガン収容容器コネクタシステムアダプタ。
【請求項１７】
基部から突出して複数のスロットを画定する複数の保持構造体を含む第１のコネクタフォーマットを備え、前記複数の保持構造体が、全体として円形パターンに配置されるとともに互いから周方向に間隔を空けられた、スプレーガン収容容器構成部品。
【請求項１８】
前記スプレーガン収容容器構成部品が蓋である。請求項１７に記載のスプレーガン収容容器構成部品。
【請求項１９】
前記スプレーガン収容容器構成部品がポットである、請求項１７に記載のスプレーガン収容容器構成部品。
【請求項２０】
適合する第１のコネクタフォーマットの保持構造体のスロットと選択的に相互作用するように構成されたステム及びボタンヘッドをそれぞれが含む複数の係止構造体を含む第２のコネクタフォーマットを備え、前記複数の係止構造体が、全体として円形パターンに配置されるとともに互いから周方向に間隔を空けられた、スプレーガン収容容器構成部品。
【請求項２１】
前記スプレーガン収容容器構成部品が蓋である。請求項２０に記載のスプレーガン収容容器構成部品。
【請求項２２】
前記スプレーガン収容容器構成部品がポットである、請求項２０に記載のスプレーガン収容容器構成部品。
【発明の詳細な説明】
【背景技術】
【０００１】
本開示は、スプレーガンなどの液体スプレー装置に関する。より具体的には、スプレーガンと、噴霧される液体を収容する収容容器との間の接続に関する。
【０００２】
スプレーガンは、車体修理店で、事故の後に修理された車両に再噴霧するときに広く使用される。知られているスプレーガンでは、液体は、ガンに取り付けられた収容容器に収容されて、そこからスプレーノズルへ供給される。液体は、スプレーノズルから出る際、ノズルに供給された圧縮空気で霧化されて噴霧を形成する。液体は、重力供給される、又は吸引供給される、若しくは、より最近では、スプレーガンへの圧縮空気ラインから、又はスプレーガン自体から、収容容器への抽気ラインによって圧送される場合がある。
【発明の概要】
【０００３】
従来、液体は、スプレーガンに取り外し可能に取り付けられた剛性のある収容容器又はポット内に収容されていた。このように、ポットは洗浄又は交換のために取り外すことができる。以前は、ポットは空でガンに固定されており、ポットがガンに取り付けられていながら所望の液体をポットに加えることができる取り外し可能な蓋が備えられていた。噴霧が完了すると、ポットを取り外すことができ、再使用のためにガン及びポットを洗浄することができる。
【０００４】
より最近では、塗装者がより少ない塗料を混合することができ、技術者がガンを洗浄するのに要する時間を大幅に削減することができる収容容器アセンブリが開発された。ミネソタ州セントポールの３Ｍ  Ｃｏｍｐａｎｙから入手可能なＰＰＳ（商標）塗料調整システム（Paint Preparation System）は、従来の混合カップ及びペイントストレーナの必要性を除去する収容容器を提供している。ＰＰＳ（商標）塗料調整システムの収容容器は、再使用可能な外側容器又はカップと、上部開口のライナーと、蓋とを含む。ライナーは外側容器内に締り嵌めとなり、分注される塗料（又は他の液体）はライナー内に保持される。蓋は、ライナーに組み付けられ、収容された塗料が運ばれる注ぎ口又は導管を提供する。使用時、塗料が引き出されるにつれてライナーが潰れ、噴霧後、ライナー及び蓋は取り外すことができ、それによって、スプレーガンの次回の使用のために新しくてきれいなライナー及び蓋を使うことができる。その結果、洗浄の必要量を大幅に低減し、簡単な態様で異なる塗料にスプレーガンを適用するために容易に適合させることができる。
【０００５】
正確な形式にもかかわらず、収容容器又はポットは、スプレーガンへの取り外し可能な組付け又は取付けを容易にする１つ以上の接続機構を組み込む。多くの例では、スプレーガン及び収容容器は、タンデムとなるように設計され、収容容器をスプレーガンに直接組み付けやすくする相補的な接続形式を備えている。他の例では、アダプタが収容容器とスプレーガンとの間に使用されている。アダプタは、スプレーガンと適合性のある一端に第一接続形式を有し、収容容器と適合性のある他端に第２の接続形式を有する。どちらかの手法で、従来は、標準的なねじ山接続形式によって、スプレーガンと収容容器との間の解除可能な接続が達成されている。例えば、その教示すべてが参照によって本明細書に援用される米国特許出願公開第２０１３／０２２１１３０号に記載されているような、収容容器を接続／分離するために、収容容器を完全に１回転しないでも済む、押してひねる動作で係合可能なバヨネット型構造を用いる解除可能なクイックフィット接続などの他の接続形式もまた提案されている。収容容器が偶発的に外れる、又は、収容容器とスプレーガンとの間の流体密封が下がる可能性を最小にするため、その教示すべてが参照によって本明細書に援用される米国特許第７，０８３，１１９号に記載されているように、相補的な接続形式に安全クリップを組み込むことが更に提案されている。これら及び他の接続形式は、収容容器とスプレーガンとの間の取り外し可能な接続の容易性及び信頼性を大幅に改善したが、改善の機会はまだ残っている。
【０００６】
本開示の発明者らは、上記の問題の１つ以上を克服する必要性が存在することを認識した。
【０００７】
本開示のいくつかの態様は、スプレーガン収容容器コネクタシステムを対象とする。本システムは、収容容器と、スプレーガン入口と、第１のコネクタフォーマットと、第２のコネクタフォーマットとを含む。収容容器は蓋を含む。第１のコネクタフォーマットは、蓋及びスプレーガン入口のうちの一方を備え、第２のコネクタフォーマットは、蓋及びスプレーガン入口のうちの他方を備える。第１のコネクタフォーマットは、それぞれがスロットを画定する複数の保持構造体を含む。保持構造体は、全体として円形パターンに配置されるとともに互いから周方向に間隔を空けて配置されている。第２のコネクタフォーマットは、保持構造体のそれぞれのスロットと選択的に相互作用するように構成されたステム及びボタンヘッドをそれぞれが含む複数の係止構造体を含む。係止構造体は、全体として円形パターンに配置されるとともに互いから周方向に間隔を空けて配置されている。これらのコネクタフォーマットは、スプレーガン入口を蓋に対して回転させると、係止構造体と保持構造体のうちの対応するものとの間を強く係合させるように構成されている。いくつか実施形態では、蓋は液体出口又は注ぎ口を更に含み、対応する保持構造体又は係止構造体は注ぎ口の外側で径方向に間隔を空けて配置されている。
【０００８】
本開示のコネクタシステムは、収容容器のスプレーガンへの簡単で迅速な取付け（及び取外し）（直接スプレーガンに、又はスプレーガンに取り付けられたアダプタに）を容易にする。相補的なコネクタフォーマットは位置合わせされて、次いで、互いに対して回転させられて、係止され、液体封止する接続を達成する。
【０００９】
本明細書で使用するとき、「液体」という用語は、スプレーガンを使用して表面に塗布する（表面を着色するように意図されているか否かに係らず）ことができるすべての形態の流動性材料を指し、材料の特性及び／又は意図された用途に応じて霧化された又は霧化されていない形態で塗布することができる、（限定するものではないが）塗料、プライマ、ベースコート、ラッカー、ニス、及び同様の塗料状材料、並びに接着剤、シーラー、充填剤、パテ、粉末コーティング、ブラスト処理用粉末、研磨用スラリー、離型剤、及び鋳物用仕上げ剤などの他の材料を含み、「液体」という用語はそれに従って解釈されるべきである。
【００１０】
本開示は、限定するものではないが、以下の例示的な実施態様を含む。
〔実施態様１〕  スプレーガン収容容器コネクタシステムであって、
蓋を含む収容容器と、
スプレーガン入口と、
蓋及びスプレーガン入口のうちの一方を含み、基部から突出して複数のスロットを画定する複数の保持構造体を含む第１のコネクタフォーマットであって、複数の保持構造体が、全体として円形パターンに配置されるとともに互いから周方向に間隔を空けて配置された、第１のコネクタフォーマットと、
蓋及びスプレーガン入口のうちの他方を含み、複数の保持構造体のそれぞれの保持構造体のスロットと選択的に相互作用するように構成されたステム及びボタンヘッドをそれぞれが含む複数の係止構造体を含む第２のコネクタフォーマットであって、複数の係止構造体が、全体として円形パターンに配置されるとともに互いから周方向に間隔を空けられた、第２のコネクタフォーマットとを備え、
複数のコネクタフォーマットは、スプレーガン入口が蓋に対して回転することで、複数の係止構造体と複数の保持構造体のうちの対応する保持構造体との間に係合を生じるように構成された、スプレーガン収容容器コネクタシステム。
〔実施態様２〕  第１のコネクタフォーマットが蓋を含み、第２のコネクタフォーマットがスプレーガン入口を含む、実施態様１に記載のコネクタシステム。
〔実施態様３〕  蓋が液体出口を更に含み、更に、複数の保持構造体が、液体出口の周りに液体出口から径方向に間隔を空けて配置された、実施態様２に記載のコネクタシステム。
〔実施態様４〕  第２のコネクタフォーマットが蓋を含み、第１のコネクタフォーマットがスプレーガン入口を含む、実施態様１に記載のコネクタシステム。
〔実施態様５〕  蓋が液体出口を更に含み、更に、複数の係止構造体が液体出口の周りに液体出口から径方向に間隔を空けて配置された、実施態様４に記載のコネクタシステム。
〔実施態様６〕  スプレーガン入口が、スプレーガンに接続するように構成されたアダプタにある、実施態様１に記載のコネクタシステム。
〔実施態様７〕  アダプタが、管状部材と、スプレーガン入口ポートに接続するように構成されたコネクタ機構とを更に含む、実施態様６に記載のコネクタシステム。
〔実施態様８〕  第１のコネクタフォーマットがアダプタを含み、更に、複数の保持体が全体としてＳ字状の形状を形成する、実施態様６に記載のコネクタシステム。
〔実施態様９〕  スプレーガン入口がスプレーガンと一体である、実施態様１〜８のいずれか一項に記載のコネクタシステム。
〔実施態様１０〕  複数の保持構造体のそれぞれが、足セグメントと脚セグメントとを画定する保持体を含む、実施態様１〜９のいずれか一項に記載のコネクタシステム。
〔実施態様１１〕  複数の保持構造体が、複数のボタンヘッドのうちの対応するボタンヘッドのリップと係合するように構成された対応する保持体に沿った溝を更に含む、実施態様１〜１０のいずれか一項に記載のコネクタシステム。
〔実施態様１２〕  ボタンヘッドが、複数の溝のうちの対応する溝に沿って形成された支持面に摺動可能に当接するように構成された係合面を画定する、実施態様１１に記載のコネクタシステム。
〔実施態様１３〕  係合面が、支持面との楔状の境界面を提供するように構成された、実施態様１２に記載のコネクタシステム。
〔実施態様１４〕  ボタンヘッドの外形が楕円状の形状を画定する、実施態様１〜１３のいずれか一項に記載のコネクタシステム。
〔実施態様１５〕  基部から突出して複数のスロットを画定する複数の保持構造体を含む第１のコネクタフォーマットを備え、複数の保持構造体が、全体として円形パターンに配置されるとともに互いから周方向に間隔を空けられた、スプレーガン収容容器コネクタシステムアダプタ。
〔実施態様１６〕  適合する第１のコネクタフォーマットの保持構造体のスロットと選択的に相互作用するように構成されたステム及びボタンヘッドをそれぞれが含む複数の係止構造体を含む第２のコネクタフォーマットを備え、複数の係止構造体が、全体として円形パターンに配置されるとともに互いから周方向に間隔を空けられた、スプレーガン収容容器コネクタシステムアダプタ。
〔実施態様１７〕  基部から突出して複数のスロットを画定する複数の保持構造体を含む第１のコネクタフォーマットを備え、複数の保持構造体が、全体として円形パターンに配置されるとともに互いから周方向に間隔を空けられた、スプレーガン収容容器構成部品。
〔実施態様１８〕  スプレーガン収容容器構成部品が蓋である、実施態様１７に記載のスプレーガン収容容器構成部品。
〔実施態様１９〕  スプレーガン収容容器構成部品がポットである、実施態様１７に記載のスプレーガン収容容器構成部品。
〔実施態様２０〕  適合する第１のコネクタフォーマットの保持構造体のスロットと選択的に相互作用するように構成されたステム及びボタンヘッドをそれぞれが含む複数の係止構造体を含む第２のコネクタフォーマットを備え、複数の係止構造体が、全体として円形パターンに配置されるとともに互いから周方向に間隔を空けられた、スプレーガン収容容器構成部品。
〔実施態様２１〕  スプレーガン収容容器構成部品が蓋である、実施態様２０に記載のスプレーガン収容容器構成部品。
〔実施態様２２〕  スプレーガン収容容器構成部品がポットである、実施態様２０に記載のスプレーガン収容容器構成部品。
【図面の簡単な説明】
【００１１】
【図１】スプレーガン及び収容容器を含むスプレーガンアセンブリの簡易斜視図である。
【図２】本開示の原理による接続形式を組み込んだ収容容器の分解図である。
【図３】本開示の原理によるスプレーガン収容容器コネクタシステムの一部分の斜視図であり、相補的な接続形式を含む。
【図４Ａ】図３の収容容器の蓋部分の斜視図である。
【図４Ｂ】図４Ａの蓋の正面図である。
【図４Ｃ】図４Ａの蓋の側面図である。
【図４Ｄ】図４Ａの蓋の上面図である。
【図４Ｅ】図４Ａの蓋の長手方向断面図である。
【図５Ａ】図４Ａの蓋の一部分の拡大斜視図である。
【図５Ｂ】図４Ａの蓋の一部分の拡大断面図である。
【図５Ｃ】図４Ａの蓋の一部分の拡大側面図である。
【図６Ａ】本開示のコネクタシステムで有用なアダプタの斜視図であり、図４Ａの蓋の接続形式に相補的な接続形式を含む。
【図６Ｂ】図６Ａのアダプタの別の斜視図である。
【図６Ｃ】図６Ａのアダプタの上面図である。
【図６Ｄ】図６Ａのアダプタの長手方向断面図である。
【図７】図４Ａの蓋を図６Ａのアダプタと結合することを含む図３のコネクタシステムの組立を示す。
【図８Ａ】図４Ａの蓋を図６Ａのアダプタと結合することを含む図３のコネクタシステムの組立を示す。
【図８Ｂ】図４Ａの蓋を図６Ａのアダプタと結合することを含む図３のコネクタシステムの組立を示す。
【図９Ａ】図４Ａの蓋を図６Ａのアダプタと結合することを含む図３のコネクタシステムの組立を示す。
【図９Ｂ】図４Ａの蓋を図６Ａのアダプタと結合することを含む図３のコネクタシステムの組立を示す。
【図９Ｃ】図４Ａの蓋を図６Ａのアダプタと結合することを含む図３のコネクタシステムの組立を示す。
【図９Ｄ】図４Ａの蓋を図６Ａのアダプタと結合することを含む図３のコネクタシステムの組立を示す。
【図１０Ａ】図４Ａの蓋を図６Ａのアダプタと結合することを含む図３のコネクタシステムの組立を示す。
【図１０Ｂ】図４Ａの蓋を図６Ａのアダプタと結合することを含む図３のコネクタシステムの組立を示す。
【図１０Ｃ】図４Ａの蓋を図６Ａのアダプタと結合することを含む図３のコネクタシステムの組立を示す。
【図１１】本開示の原理による別のスプレーガン収容容器コネクタシステムの分解斜視図であり、収容容器の蓋及びアダプタに組み込まれている。
【図１２】本開示の原理による別のスプレーガン収容容器コネクタシステムの分解斜視図であり、収容容器の蓋及びアダプタに組み込まれている。
【図１３Ａ】図１２の蓋の斜視図である。
【図１３Ｂ】図１３Ａの蓋の側面図である。
【図１３Ｃ】図１３Ａの蓋の正面図である。
【図１３Ｄ】図１３Ａの蓋の上面図である。
【図１３Ｅ】図１３Ａの蓋の一部分の拡大図である。
【図１４Ａ】図１２のアダプタの斜視図である。
【図１４Ｂ】図１２のアダプタの斜視図である。
【図１４Ｃ】図１４Ａのアダプタの断面図である。
【図１５】本開示の原理による接続形式を組み込んだモジュール蓋アセンブリの分解斜視図である。
【発明を実施するための形態】
【００１２】
本開示の態様は、スプレーガンと収容容器との間の解除可能で封止された接続を容易にする接続システムを対象とする。背景として、図１は、重力供給式のスプレーガン３０と収容容器３２とを含むスプレーガン塗装システム２０を示している。ガン３０は、本体４０と、ハンドル４２と、本体４０の前端にスプレーノズル４４とを含む。ガン３０は、本体４０の側部に枢着された引金４６によって手動で操作される。入口ポート４８（全体を指す）は、本体４０に形成され、又は本体４０によって担持され、スプレーガン３０の内部スプレー導管（隠れている）と収容容器３２との間を流体接続するように構成されている。収容容器３２は、噴霧される液体（例えば、塗料）を収容し、入口ポート４８に接続されている（図１の図で示す接続が必ずしも本開示の接続を反映していないことを理解されたい）。使用時、スプレーガン３０は、ハンドル４２の下端のコネクタ４９を介して圧縮空気源（図示せず）に接続される。ユーザが引金４６を引くと、圧縮空気がガン３０を通って送出され、塗料が収容容器３２から重力でスプレーガン３０を通ってノズル４４へ送出される。その結果、塗料（又は、他の液体）は、ノズル４４を出る圧縮空気で噴霧を形成するように、ノズル４４を出るときに霧化される。
【００１３】
図を容易にするため、スプレーガン３０と収容容器３２との間の本開示の接続形式は図１の図には含めていない。大まかに言えば、収容容器３２は、スプレーガン３０に接続するために第１の接続形式を確立する１つ以上の構成部品を含む。相補的な第２の接続形式は、収容容器３２と入口ポート４８との間に組み付けられたアダプタ（図示せず）に、又はスプレーガン３０に含まれる。この背景を念頭に置いて、図２は、本開示の原理による収容容器５０の非限定的な例を示している。収容容器５０は、外側容器５２及び蓋５４を含む。蓋５４は、下記でより詳細に説明する第１の接続形式又は接続機構５６（全体を指す）を含む、又は提供する。収容容器５０の残り部分の構成部品は、様々な形態を想定することができる、又はオプションとすることができる。例えば、いくつかの実施形態では、収容容器５０は、ライナー５８及びカラー６０を更に含む。大まかに言えば、ライナー５８は、容器５２の内側と形状が一致し（及び、締り嵌めとなって）、容器５２の上縁に座る狭いリム６２を開放端に有することができる。蓋５４は、ライナー５８の開口端に圧入されて、蓋５４の周縁部がライナー５８のリム６２を覆って位置するように構成される。蓋／ライナーアセンブリは、容器５２に解除可能に係合する環状のカラー６０によって（例えば、図示のようなねじ切りされた接続部、スナップフィットなどで）定位置に固定される。
【００１４】
接続形式５６に加えて、蓋５４は、ライナー５８に入っている液体が通って流れることができる液体出口６４（全体を指す）を形成する。使用時、塗料が収容容器５０から引き出されるにつれて、ライナー５８は蓋５４の方に軸方向に潰れる。外側容器５２の底のオプションの通気孔６６により、ライナー５８が潰れるときに空気が入ることができる。噴霧が完了すると、収容容器５０をスプレーガン３０（図１）から取り外し、カラー６０を取り外し、蓋／ライナーアセンブリを一体で外側容器５２から取り除くことができる。外側容器５２及びカラー６０は、きれいなままであり、新しいライナー５８及び蓋５４とともにすぐに再利用することができる。このように、収容容器５０の過剰な洗浄を避けることができる。
【００１５】
他の実施形態では、本開示の収容容器は、ライナー５８及び／又はカラー６０を含む必要がない。本開示の接続形式は、多くの他の収容容器の構成で実施することができ、それらは、直接、図で示す場合もあり、又は示さない場合もある。
【００１６】
上記のように、蓋５４を備えた第１の接続形式５６は、スプレーガン入口又は装置を備えた相補的な第２の接続形式と解除可能に接続するように構成される。参考として、図３は、これと異なり、第２の相補的な接続形式７２（全体を指す）を担持する、又は提供するスプレーガン入口７０の一部分とともに蓋５４を示している。スプレーガン入口７０は、アダプタ、スプレーガン３０（図１）の一体部分などとすることができる。とにかく、第１及び第２の接続形式５６、７２は、直列に構成されて、蓋５４とスプレーガン入口７０との間の解除可能で液体を密封する取付け又は接続を容易にする。いくつかの実施形態では、第１及び第２の相補的な接続形式５６、７２は、本開示の原理によるスプレーガン収容容器コネクタシステム７４を全体的に規定するものとして見ることができる。
【００１７】
次に、第１の接続形式５６が、これと異なって、孤立した蓋５４を示す図４Ａ〜４Ｅを参照して説明される。蓋５４の形状は、長手方向軸Ａを規定するものとして見ることができる。第１の接続形式５６及び流体出口６４に加えて、蓋５４は、壁８０、フランジ８２、及びハブ８４を含む、又は画定する。壁８０は、両側の内面８６及び外面８８を画定し、壁８０の少なくとも外面８８は、図に示す湾曲した（例えば、半球状の）形状を有する。最後に、壁８０は、長手方向軸Ａと同軸の中央開口９０（図４Ｅで最も良く見られる）を画定する。フランジ８２は、中央開口９０と反対側の壁８０の周辺部から径方向外向きに突出し、収容容器５０（図２）の１つ以上の他の構成部品、例えば、外側容器５２（図２）と接続するように構成される。ハブ８４は、フランジ８２から（長手方向軸Ａに対して）長手方向に壁８０の反対方向に突出し、収容容器５０の１つ以上の他の構成部品、例えば、ライナー５８（図２）と接続するように構成することができる。壁８０、フランジ８２、及びハブ８４は、多様な他の形態を想定することができる。更に、他の実施形態では、フランジ８２及びハブ８４の一方又は両方を省略することができる。
【００１８】
液体出口６４は、注ぎ口１００を含む。注ぎ口１００は、長手方向軸Ａと同軸で、壁８０から上方（図４Ａの向きに対して）に突出し、先端面１０２で末端となる。注ぎ口１００は、中央開口９０と位置が合って中央開口９０に通じる通路１０４（図４Ｅで最も良く見られる）を画定する。この構成では、（例えば、壁８０の内面８６の領域内の場所から注ぎ口１００の外部の場所への）流体出口６４を通る流体流れは、中央開口９０及び通路１０４を通って容易に生じる。
【００１９】
いくつかの実施形態では、流体出口６４は、任意に、第１の接続形式５６の構成要素と考えられる１つ以上の追加の特徴を含む。例えば、１つ以上の環状リブ１０６が、先端面１０２に近接した注ぎ口１００の外側に沿って形成されて、スプレーガン入口７０（図３）と、蓋５４への組付け時に、環状のシールを形成するように構成することができる。これに代えて、蓋５４とスプレーガン入口７０との間の液密シールは様々な他の構成で促進することができ、これらは、環状リブ１０６を含むこともあり、含まないこともある。
【００２０】
第１の接続形式５６は、プラットフォーム１１０及び複数の係止構造体１１２を含む。プラットフォーム１１０は、注ぎ口１００の外側の位置で壁８０の外面８８に形成されるか、又は外面８８とはずれた形状を表している。係止構造体１１２は、プラットフォーム１１０から突出し、下記のように、第２の相補的な接続形式７２（図３）と選択的な接続又は取付けを容易にするように構成される。
【００２１】
プラットフォーム１１０は、外面８８によって形成される、又は外面８８から延び、接触面１２０で末端となる。接触面１２０は、スプレーガン入口（図示せず）との摺動境界面を提供するように構成され、壁８０のオプションの湾曲形状とは異なる形状を有することができる。いくつかの実施形態では、接触面１２０は、長手方向軸Ａに垂直な平面で実質的に平坦又は平面（すなわち、真の平坦又は平面形状の５％以内）である。接触面１２０は、注ぎ口１００を周方向に取り囲み、注ぎ口１００の外径より大きな直径（又は他の寸法）まで延びる。
【００２２】
いくつかの実施形態では、係止構造体１１２は同一とすることができ、それぞれが注ぎ口１００から径方向に間隔を空けて配置されている。係止構造体１１２のそれぞれは、反対側にある第１及び第２の端部１２４、１２６を画定し、ステム１３０及びボタンヘッド１３２を含む。ステム１３０は、接触面１２０から上向きに突出している。ボタンヘッド１３２は、ステム１３０から接触面１２０の反対側に延びている。ステム１３０及びボタンヘッド１３２は、任意に、下記の１つ以上の幾何学的特徴を組み込まれる。より大まかに言えば、長手方向軸Ａに垂直な平面におけるボタンヘッド１３２の断面サイズは、ステム１３０の断面サイズよりも大きく、その結果、ステム１３０とボタンヘッド１３２とは組み合わさってキノコ状の形状を形成する。
【００２３】
図５Ａの拡大図を参照すると、ステム１３０のそれぞれは、内側面１４０及び外側面１４２を画定する。内側面１４０は、概ね、注ぎ口１００を向き、外側面１４２は内面１４０の反対側にある。内側面１４０及び外側面１４２の形状は長手方向に比較的均一にすることができるが、いくつかの実施形態では、内側面１４０及び外側面１４２の一方又は両方は、長手方向軸Ａに垂直な平面において湾曲させることができる。例えば、図５Ｂは、長手方向軸Ａに垂直な平面で、係止構造体１１２のそれぞれのステム１３０を通る平面における拡大断面図である。内側面１４０は、第１の端部１２４と第２の端部１２６との間を延びている部分では非直線状又は湾曲している。いくつかの実施形態では、内側面１４０は、長手方向軸Ａに垂直な断面平面（例えば、図５Ｂの平面）において凸状の曲率を画定することができる。その他の形状もまた考えられ、直線状（又は平面状）、湾曲、曲線、それらが複合したものなどとすることができる。外側面１４２もまた、長手方向軸Ａに垂直な平面（例えば、図５Ｂの平面）において第１の端部１２４と第２の端部１２６との間の凸状の曲線などの曲線又は曲率を画定することができる。図５Ｂの非限定的な例では、ステム１３０は、長手方向軸Ｌに垂直な平面において楕円状の形状を有することができるが、外側面１４２の曲率半径は、内側面１４０の曲率半径よりも大きい。他の実施形態では、外側面１４２は、第１の端部１２４と第２の端部１２６との間を実質的に直線状又は平面状とすることができる。
【００２４】
図４Ａ〜４Ｅに戻ると、ボタンヘッド１３２は、少なくとも長手方向軸に垂直な平面に対して、ステム１３０に関する上記の幾何学的形状を概ね模倣することができる。例えば、図４Ｄ及び５Ａを参照すると、ボタンヘッド１３２は、内側表面１５０及び外側表面１５２を画定する。内側表面１５０は、概ね、注ぎ口１００を向き、外側表面１５２は内側表面１５０の反対側にある。内側表面１５０は、第１の端部１２４と第２の端部１２６との間で、長手方向軸Ａに垂直な平面において凸状の曲線などの曲線を画定することができ、それは、上記のようなステム１３０の内側面１４０によって生成された曲率又は形状と類似している。外側表面１５２は、第１の端部１２４と第２の端部１２６との間で、長手方向軸Ａに垂直な平面において曲率を同様に形成することができ、それは、上記のようなステム１３０の外側面１４２によって生成された曲率又は形状と類似している。
【００２５】
ボタンヘッド１３２の形状は、長手方向軸Ａに垂直な平面においてステム１３０の形状に概ね一致することができるが、ボタンヘッド１３２のフットプリント又はサイズは、ステム１３０のフットプリント又はサイズよりも大きい。したがって、ボタンヘッド１３２は、ステム１３０に対して径方向外向きに突出し、係合面１６２を画定するリップ１６０を生成する。図４Ｅ及び５Ａに示すように、リップ１６０は、いくつかの実施形態では、ステム１３０の形状を越えてすべての方向に突出する（例えば、係合面１６２は、ステム１３０の内側面１４０及び外側面１４２の両方に対して形成される）。ボタン高さＨＢ は、係合面１６２と接触面１２０との間の直線距離又は間隔として設定される。係合面１６２は、任意に、第１の端部１２４と第２の端部１２６との間に変化する幾何学的形状を組み込むことができる（図４Ｄ）。例えば、図５Ｃを参照すると、いくつかの実施形態では、長手方向軸Ａと平行な平面における係合面１６２の形状は、傾斜領域１６４及び後方領域１６６を形成する。傾斜領域１６４は、第１の端部１２４から、接触面１２０に向かってわずかにテーパを付けられて後方領域１６６まで延びている。傾斜領域１６４は、長手方向軸Ａに垂直な平面に対して斜め又は非平行な平面を画定する（例えば、図５Ｃの向きに対して、傾斜領域１６４の平面は、水平に対して斜め又は非平行である）。後方領域１６６は、傾斜領域１６４から第２の端部１２６まで延びて、長手方向軸Ａに垂直な平面に平行な平面を形成することができる（例えば、図５Ｃの向きに対して、後方領域１６６の平面は、水平又はほとんど水平である）。この構成では、第１の端部１２４でのボタン高さＨＢは、下記で明らかにする理由のため、後方領域１６６に沿うボタン高さＨＢよりも高い。係合面１６２に対して他の形状又は幾何学的形状もまた許容することでき、上記のテーパ状又は傾斜状の特徴を含んでもよいし、含まなくてもよい。
【００２６】
図４Ａ〜４Ｅに戻ると、係止構造体１１２は、注ぎ口１００の周りに円形のパターンで配置される（が、注ぎ口１００から径方向に間隔を空けて配置される）。図４Ｄに最も良く示されているように、係止構造体１１２は、係止保持構造体１１２の係合面１６２（図４Ｅ）のオプションのテーパ付き形状が長手方向軸Ａに対して同じ回転方向であるように配置される。例えば、図４Ｄの向きに対して、係止構造体１１２のそれぞれの係合面１６２は、反時計回り方向にテーパが付いている（例えば、第１の端部１２４は、反時計回り方向では、対応する第２の端部１２６の回転「前方」にある）。
【００２７】
図４Ａ〜４Ｅは、第１の接続形式５６が係止構造体１１２を２つ含むように示しているが、他の実施形態では、係止構造体１１２は３つ以上設けられる。円形のパターンに沿う係止構造体１１２のうちの周方向に隣接する係止構造体１１２の間に周方向の間隔が設定され、いくつかの実施形態では、係止構造体１１２は、任意に、注ぎ口１００の周りに等距離に間隔を空けて配置されている。
【００２８】
図３に戻ると、第２の接続形式７２は、第１の接続形式５６の機構と選択的に嵌合するように構成されている。いくつかの実施形態では、第２の接続形式７２は、図６Ａ〜６Ｄに示されたアダプタ１８０などのアダプタの一部として設けられる。第２の接続形式７２（図６Ａにおいて全体を指す）に加えて、アダプタ１８０は管状部材１９０を含む。様々な構成要素の詳細を以下に示す。大まかに言えば、アダプタ１８０の形状は中心軸Ｘを規定する。管状部材１９０は、スプレーガンの入口ポートに接続するためなど、従来のスプレーガン収容容器接続アダプタに類似の特徴を含む又は提供することができる。第２の接続形式７２の基部１９２は、管状部材１９０から突出し、第２の接続形式７２の他の部分を担持又は画定し、アダプタ１８０を蓋５４に取り付けることを促進する（図４Ａ）。
【００２９】
管状部材１９０は、様々な形態を想定することができ、中央通路２００（図６Ｄに最も良く示されている）を画定する。通路２００は、管状部材１９０の先端部２０２で開口している。管状部材１９０は、従来のスプレーガン入口ポートへの組付けを容易にする取付機構を形成又は提供する。例えば、雄ねじ２０４は、先端部２０２に隣接して管状部材１９０に沿って設けられて、スプレーガン入口ポートに設けられたねじと螺合可能に接続するように構成される。これに関して、雄ねじ２０４のピッチ、山形、間隔は、アダプタ１８０を使用しようとするスプレーガンの製造元／型の特定のねじパターンにしたがって選択することができる。雄ねじ２０２を含むことがある、又は含まないことがある他のスプレーガン取付機構も同様に許容可能である。管状部材１９０は、任意に、把持部２０６を更に含む又は画定することができる。把持部２０６は、ユーザが従来の工具でアダプタ１８０を容易に操作できるように構成され、いくつかの実施形態では、レンチによって容易に係合するように構成された六角面パターンを含む又は画定する。他の実施形態では、把持部２０６を省略することができる。
【００３０】
基部１９２は、管状部材１９０から先端部２０２の反対側に延びて、後端部２１０で末端となる。通路２００は基部１９２を貫通し、続けて、後端部２１０で開口する。後端部２１０における通路２００の直径は、注ぎ口１００（図４Ａ）の直径と一致し、後端部２１０が蓋５４の注ぎ口１００を摺動可能に受け入れることができるように選択される。基部１９２は、概ね円筒形又はリング状の形状とすることができ、下記のように、任意に、様々な特徴を外側面２１２に組み込むことができ、これらは、第２の接続形式７２の構成要素と考えることができる。
【００３１】
第２の接続形式７２は、複数の保持構造体２３０を含む。保持構造体２３０は、外側面２１２から外向きに突出し、下記のように、係止構造体１１２（図４Ａ）のうちの対応するものと選択的に係合するようなサイズ及び形状となっている。
【００３２】
いくつかの実施形態において、保持構造体２３０は同一であり、それぞれは保持体２３２を含み、保持体２３２は、基部１９２から湾曲して連続的に延び、足セグメント２３４及び脚セグメント２３６を画定している。足セグメント２３４の基部１９２からの突出部は、径方向外向きの構成部品を含み、基部１９２の外側面２１２の曲率とは異なる曲率を形成している。脚セグメント２３６は、足セグメント２３４から基部１９２と向かい合って延びて、自由端２３８で末端となる。したがって、脚セグメント２３６は、基部１９２から径方向に間隔を空けて配置されて、脚セグメント２３６と基部１９２との間にスロット２４０を生成する。スロット２４０は、自由端２３８で開口し、足セグメント２３４で閉じている。脚セグメント２３６の延長部は、いくつかの実施形態では、基部１９２の外側面２１２の曲率に近い曲率となり、その結果、スロット２４０は、螺旋状の形状で、自由端２３８から足セグメント２３４まで実質的に均一な幅を有する。図６Ｃに最も良く示されているように、脚セグメント２３６は、対応する足セグメント２３４から、中心軸Ｘに対して又は中心軸Ｘの周りに同じ回転方向に突出している。例えば、図６Ｃの向きに対しては、脚セグメント２３６のそれぞれは、対応する足セグメント２３４から時計回り方向に延びている（例えば、自由端２３８は、時計回り方向では、対応する第２の足セグメント２３４の回転「前方」にある）。２つの保持構造体２３０が設けられた実施形態では、アダプタ１８０は、図６Ｃの図に示されたＳ字状の形状を有することができる。
【００３３】
図６Ｄを詳細に参照すると、保持体２３２は、内部面２５０と、外部面２５２と、両側の第１及び第２の案内面２５４、２５６とを画定する。スロット２４０は、（脚セグメント２３６に沿う）保持体２３２の内部面２５０と基部１９２の外側面２１２との間に画定されている。いくつかの実施形態では、第１の案内面２５４は、基部１９２の後端部２１０の平面と面一又は共面とすることができる。保持体２３２には、任意に、内部面２５０と第２の案内面２５６との交差領域に溝２６０が画定されている。支持面２６２は溝２６０によって画定されている。溝２６０は保持体２３２に沿って連続的に延びることができ、基部１９２まで更に続く。すなわち、図４Ｄに示すように、溝２６０はまた基部１９２の外側面２１２に画定されている。下記で明らかにするように、溝２６０のサイズ及び形状は、第１の案内面２５４に対する溝２６０の長手方向の位置と同様、第１の接続形式５６（図４Ａ）の幾何学的特徴に対応している。他の実施形態では、溝２６０を省略することができる。
【００３４】
図６Ａ〜６Ｄは、２つの保持構造体２３０を含むように第２の接続形式７２を示しているが、他の実施形態では、任意に、保持構造体２３０の数を、相補的な第１の接続形式５６（図４Ａ）に設けられた係止構造体１１２（図４Ａ）の数に合わせて、３つ以上の保持構造体２３０が設けられる。同様に、保持構造体２３０のうちの周方向に隣接するものの間の間隔は、係止構造体１１２同士の間の周方向の間隔を模倣する（例えば、いくつかの実施形態では、保持構造体２３０は、任意に、基部１９２の周りに等距離に間隔を空けて配置されている）。
【００３５】
図７を参照すると、第１の接続形式５６と第２の接続形式７２との間（したがって、蓋５４とアダプタ１８０との間）の係合には、最初、アダプタ１８０を流体出口６４と位置合わせする必要がある。蓋５４とアダプタ１８０とは、アダプタ１８０の後端部２１０が蓋５４の接触面１２０に面するように空間的に配置され、保持構造体２３０は係止構造体１１２から回転方向にずらされている。次いで、蓋５４とアダプタ１８０とを互いの方に向け、図８Ａ及び８Ｂに示すように、アダプタ１８０の第１の案内面２５４（図６Ｄ）を蓋５４の接触面１２０と接触させる。基部１９２は、注ぎ口１００（図８Ａ及び８Ｂでは隠れているが、例えば、図７には示されている）に被せて配置され、アダプタ１８０の中心軸Ｘは蓋５４の長手方向軸Ａと合わせられる。基部１９２の外径は、係止構造体１１２のボタンヘッド１３２の内側表面１５０が一緒になって生成する直径より小さく、それによって、基部１９２は、係止構造体１１２の「内側」で注ぎ口１００に被さる入れ子となることができる。図８Ａ及び８Ｂの初期状態では、保持構造体２３０は係止構造体１１２から回転方向に間隔を空けて配置されている。しかしながら、蓋５４とアダプタ１８０との幾何学的形状が対応していることにより、接触面１２０と第１の案内面２５４（図６Ｄ）との間が係合すると、係止構造体１１２が保持構造体２３０と周方向に位置合わせされる（例えば、図８Ａ及び８Ｂは、第１の保持構造体２３０ａのスロット２４０が第１の係止構造体１１２ａと周方向に位置合わせされていることを示している）。
【００３６】
次いで、保持構造体２３０のそれぞれの自由端２３８を係止構造体１１２のうちの対応するものの第１の端部１２４の方へ動かす方向に、共通軸Ａ、Ｘの周りにアダプタ１８０を蓋５４に対して回転する（及び／又はその逆もある）。例えば、図８Ｂの向きに対して、アダプタ１８０は、蓋５４に対して時計回り方向に回転される。この回転により、保持構造体２３０のそれぞれのスロット２４０は、係止構造体１１２のうちに対応するものを受け入れるように向けられる。図９Ａ及び９Ｂは、係止構造体１１２と保持構造体２３０との対応する対の間の初期接続を示している。スロット２４０が、係止構造体１１２のうちの対応するものと接続するように、又はそれを受け入れるように径方向に配置されるように、脚セグメント２３６が一緒になって画定する直径は、ステム１３０が一緒になって画定する直径にほぼ等しくなっている。保持構造体２３０が対応する係止構造体１１２に接近すると、ステム１３０はスロット２４０の自由端に入る。更に、ボタンヘッド１３２は、脚セグメント２３６及び基部１９２のうちの一方又は両方の表面に接触する。
【００３７】
具体的には、図９Ｃを詳細に参照すると、アダプタ１８０は、プラットフォーム１１０の接触面１２０に対して面一となり、これによって、ボタンヘッド１３２の係合面１６２（全体を指す）の長手方向位置が、（蓋５４とアダプタ１８０との対応する幾何学的形状によって）溝２６０（したがって、支持面２６２）に対して固定される。言い換えれば、ボタン高さＨＢ（図４Ａ）は、溝２６０の鉛直位置と交差している。ボタンヘッド１３２は、脚セグメント２３６及び基部１９２の両方に沿って溝２６０内に摺動可能に受け入れられる。図９Ｃでは直接視認できないが、いくつかの実施形態では、係合面１６２は、第１の端部１２４からの延長するテーパ状又は楔の形状を有することが思い出される。係止構造体１１２の第１の端部１２４がスロット２４０に「入る」と、係止構造体１１２のリップ１６０は溝２６０によって容易に受け入れられる。この関係は、図９Ｄの部分断面図によって更に反映されている。図９Ｄはまた、ボタンヘッド１３２がスロット２４０（全体を指す）に最初に入るとき、係合面１６２と溝２６０（全体を指す）との関係をより明確にしている。図示のように、結合プロセスのこの時点では、係合面１６２は溝２６０内で自由に動ける入れ子となり、支持面２６２と接触していない。図９Ｃに戻ると、ボタンヘッド１３２の内側表面１５０と基部１９２の外側面２１２との曲率及び半径を、ボタンヘッド１３２の外側表面１５２と脚セグメント２３６に沿う内部面２５０と同様に対応させる又は合わせることによって、アダプタ１８０を蓋５４に対して（及び、その逆もある）続けて回転させることができる。係止構造体１１２がスロット２４０内を更に前進又は進行すると、係合面１６２は、基部１９２及び脚セグメント２３６において、溝２６０の支持面２６２に明白に接触又は摺動当接される。係合面１６２のテーパ付き形状により、係止構造体１１２と保持構造体２３０との間に楔状の結合又は係合が確立される。（蓋５４とアダプタ１８０を互いに回転することによる）係合面１６２と基部１９２及び脚セグメント２３６との間の摺動係合の角度又は平面によって、アダプタ１８０は蓋５４とより強く係合し、基部１９２及び脚セグメント２３６を蓋５４の接触面１２０に向けて押し付ける。
【００３８】
蓋５４に対してアダプタ１８０を（及び／又はその逆もある）続けて回転させると、各係止構造体１１２のボタンヘッド１３２は、保持構造体２３０のそれぞれのスロット２４０内で摩擦的及び機械的に保持される。図１０Ａ及び１０Ｂは、アダプタ１８０と蓋５４との係止状態を示している。係止構造体１１２のそれぞれは、スロット２４０のうちの対応するものの中に完全な入れ子となっている。足セグメント２３４は、係止構造体１１２が対応するスロット２４０を完全に通り抜ける又は通り越すことを防止し、したがって、アダプタ１８０が回転しすぎることを防止する。図１０Ｃの断面図は、係止状態において、ボタンヘッド１３２の係合面１６２が、基部１９２及び脚セグメント２３６の両方において、支持面２６２と強く接触又は係合し、脚セグメント２３６の第１の案内面２５４が接触面１２０に当たってしっかりと保持されていることを更に示している。いくつかの実施形態では、係止面と保持構造体との相互作用によって干渉が生じ、その結果、構成部品が互いに「噛み」合って摩擦及び保持を強くする。
【００３９】
使用後、アダプタ１８０を蓋５４に対して反対方向（例えば、反時計回り方向）に回転させて、アダプタ１８０を蓋５４から取り外して、係止構造体１１２を対応する保持構造体２３０から引き出すことができる。いくつかの実施形態では、アダプタ１８０を回転すると、係止構造体１１２と保持構造体２３０との間の逆カム式（reversed camming type）の接続（すなわち、上記とは逆の接続）となり、アダプタ１８０と蓋５４との間のシールを解除するのを補助する働きをする。係合が解除されると、アダプタ１８０を蓋５４から分離することができる。
【００４０】
上記のように、いくつかの実施形態では、蓋５４とアダプタ１８０とは、異なる材料から形成することができる。例えば、蓋５４は、プラスチック構成部品（例えば、成型プラスチック）とすることができ、アダプタ１８０は、金属（例えば、ステンレス鋼）とすることができる。これらのオプションの構造物では、噴霧作業に続いて、アダプタ１８０を容易に洗浄及び再使用することができ、蓋５４を使い捨て品と見なすことができる。
【００４１】
図３に戻ると、上記では、相補的な第２の接続形式７２はアダプタ１８０（図５Ａ）の一部としたが、他の構成も許容可能である。例えば、第２の接続形式７２は、スプレーガンの一体部品として永久的に組み付ける又は設けることができる（例えば、上記のような第２の接続形式７２をスプレーガン３０（図１）の入口ポート４８（図１）として、又は入口ポート４８において設けることができる）。すなわち、本開示のスプレーガン収容容器コネクタシステムは、アダプタを必要としない。
【００４２】
更に、第１及び第２の接続形式５６、７２の位置を逆にすることができる。そのとき、他の実施形態では、第２の接続形式７２を蓋５４に形成し又は設け、第１の接続形式５６をスプレーガン入口７０（例えば、アダプタ、スプレーガン入口ポートなど）に形成する又は設けることができる。例えば、図１１は、相補的な第１及び第２の接続形式３０２、３０４（全体を指す）を含む代替のスプレーガン収容容器コネクタシステム３００の部分を示している。図示のように、第１の接続形式３０２は蓋３１０の一部として設けられ、第２の接続形式３０４は、アダプタ３１２など、スプレーガン入口の一部として設けられている。第１の接続形式３０２は、第２の接続形式７２（例えば、図６Ａ）に関する上記の形態のいずれかを想定することができ、基部１９２と、基部１９２から突出してスロット２４０を形成する複数の保持構造体２３０とを含む。第２の接続形式３０４は、第１の接続形式５６（例えば、図４Ａ）に関する上記の形態のいずれかを想定することができ、接触面１２０から突出してステム１３０及びボタンヘッド１３２を画定する係止構造体１１２を含む。上記のように、接続形式３０２、３０４は互いに接続する。
【００４３】
図１２は、本開示の原理による、相補的な第１及び第２の接続形式４０２、４０４（全体を指す）を含む代替のスプレーガン収容容器コネクタシステム４００の部分を示している。図示のように、第１の接続形式４０２は、蓋４１０の一部として設けられ、第２の接続形式４０４は、アダプタ４１２など、スプレーガン入口の一体部品として設けられている。
【００４４】
蓋４１０は、図１３Ａ〜１３Ｅにより詳細に示され、多くの点で、上記の蓋５４（図４Ａ）と非常に類似する又は同一とすることができる。蓋４１０は、全体として、壁４２０と流体出口４２２とを含む。流体出口４２２は、上記のようなオプションのシール機構を伴う注ぎ口４２４を含む。
【００４５】
第１の接続形式４０２（図１３Ａにおいて全体を指す）は、プラットフォーム４４０及び複数の係止構造体４４２を含む。係止構造体４４２は、上記の係止構造体１１２（図４Ａ）と非常に類似する及び任意に同一とすることができる。係止構造体４４２は、係止構造体１１２に関する上記の特性又は特徴のいずれかを有することができ、注ぎ口４２４の周りに（及び、注ぎ口４２４から径方向に間隔を空けて）円形パターンで配置されている。大まかに言えば、係止構造体４４２のそれぞれは、ステム４４４及びボタンヘッド４４６を含む。ステム４４４及び／又はボタンヘッド４４６は、上記の幾何学的形状のいずれか（例えば、楕円状の形状）を有することができる。ボタンヘッド４４６は、対応するステム４４４の形状を越えて径方向に突出して、上記の説明に相応した係合面４４８を画定する。いくつかの実施形態では、係合面４４８は、係止構造体４４２の第１の端部４５２から反対側の第２の端部４５４の方へ（プラットフォーム４４０に対する）高さにテーパが付いた、傾斜した又はテーパが付いたセグメントを含む又は画定することができる。
【００４６】
プラットフォーム４４０は、上記のプラットフォーム１１０（図４Ａ）に機能的に類似し、ステム４４４が突出する接触面４６０を画定する。上記の他の実施形態と対照的に、プラットフォーム４４０は、接触面４６０が注ぎ口４２４の周りに変化する形状を有するように構成されている。具体的には、複数のアンダーカット４６２がプラットフォーム４４０に画定されている。接触面４６０は、注ぎ口４２４の周りのアンダーカット４６２のうちの隣接するものの間を延びている分離した案内領域４６４を形成し、アンダーカット４６２の数は係止構造体４４２の数と一致させることができ、案内領域４６４の数はアンダーカット４６２の数と一致する。図１３Ｄで分かるように、図１３Ａ〜１３Ｅの非限定的な例では、２つの案内領域（第１及び第２の案内領域４６４ａ、４６４ｂ）のように、２つのアンダーカット（第１及び第２のアンダーカット４６２ａ、４６２ｂ）が形成されているが、任意の他の数も同様に許容可能である。
【００４７】
案内領域４６４のそれぞれの少なくとも一部分は、接触面４６０が注ぎ口４２４の周りを回転するにつれて長手方向に推移する部分的な螺旋形状を形成している。例えば、案内領域４６４のそれぞれは、導入部４６６及び傾斜部４６８を含むことができる。導入部４６６は、対応する係止構造体４４２の第１の端部４５２の「上流」で始まる。導入部４６６の平面は、蓋４１０の中心軸に対して実質的に垂直である。傾斜部４６８は、導入部４６６から（図の直立姿勢に対して）長手方向下向きにテーパが付いている。図の直立姿勢に対して、導入部４６６は、傾斜部４６８の長手方向又は鉛直方向の「上方」にある。他の実施形態では、接触面４６０は、対応するアンダーカット４６２同士の間に連続する下向き又は長手方向のテーパを画定することができる。拡大図の図１３Ｅで強調するように、いくつかの実施形態では、導入部４６６から傾斜部４６８への接触面４６０の推移は、ボタンヘッド４４６の係合面４４８のテーパ状の形状の推移と一致している。最後に、図１３Ａに示すように、肩部４７０は、下記で明らかにする理由のため、アンダーカット４６２のそれぞれで画定されている。
【００４８】
図１２に戻ると、アダプタ４１２は、上記のアダプタ１８０（図６Ａ）に非常に類似することができ、全体として管状部材４８０を含む。管状部材４８０は、管状部材１９０（図６Ａ）に関する上記の特徴のいずれかを含むことができる。第２の接続形式４０４は、基部５００及び複数の保持構造体５０２を含む。基部５００は、管状部材４８０から突出し、保持構造体５０２を担持する。保持構造体５０２は、下記のように、係止構造体４４２のうちの対応するものと選択的に相互作用するように構成されている。
【００４９】
図１４Ａの図に反映されているように、保持構造体５０２は、上記の保持構造体２３０（図６Ａ）と非常に類似する及び任意に同一とすることができる。保持構造体５０２は、保持構造体２３０に関する上記の特性又は特徴のいずれかを有することができ、基部５００の周りに（及び、基部５００から延びて）円形パターンで配置されている。大まかに言えば、上記の詳細な説明に相応して、各保持構造体５０２は足セグメント５１０と、基部５００の外側表面５１４から延びるアームセグメント５１２とを含む。アームセグメント５１２と基部５００との間には、スロット５１６が画定されている。溝５１８は、アームセグメント５１２及び外側表面５１４に沿って延び、支持面５２０を生成する。最後に、保持構造体５０２はそれぞれ、案内面５２２（図１４Ａにおいて全体を指す）を画定する。
【００５０】
基部５００は、上記の基部１９２（図６Ａ）と非常に類似し、より詳細な説明に対しては、前の説明を参照されたい。基部５００は、上記のように、接触面４６０（図１３Ａ）の形状と幾何学的に一致した後面５３０を形成している。複数のアンダーカット５３２が後面５３０に沿って形成されている。更に、図１４Ｂに最も良く示されているように、後面５３０は、アンダーカット５３２のうちの隣接するものの間に、周方向にトラック部５３４と平坦部５３６とを生成している。トラック部５３４は、対応する平坦部５３６から延びて、長手方向外向きに突出して、部分的な螺旋に類似し、タブ５３８で末端となる。平坦部５３６は、実質的に平面状又は平坦とすることができ、案内面５２２と共面又は合わせることができる。図１４Ｃは、いくつかの実施形態では、トラック部５３４が案内面５２２を越えて長手方向に突出していることを示している。
【００５１】
図１２に戻ると、蓋４１０とアダプタ４１２との結合は前の説明と同様である。まず、基部５００を注ぎ口４２４と位置合わせし、保持構造体５０２を係止構造体４４２から回転方向にずらすようにアダプタ４１２を回転配置する。次いで、注ぎ口４２４が基部５００内に入れ子になるようにアダプタ４１２を蓋４１０に向ける（及び／又はその逆もある）。図１３Ａ、１４Ａ、及び１４Ｂを参照すると、後面５３０のトラック部５３４のそれぞれが接触面４６０の導入部４６６のうちの対応するものと接触していることを含めて、基部５００の後面５３０は接触面４６０と摺動接触している。次いで、アダプタ４１２が蓋４１０に対して回転させられると（及び／又はその逆もある）、後面５３０は接触面４６０に沿って動き、導入部４６６と傾斜部４６８とが相互作用して、保持構造体５０２が係止構造体４４２のそれぞれと位置合わせされる。一旦位置合わせされると、係止構造体４４２と保持構造体５０２とは上記のように互いに接続して、アダプタ４１２を蓋４１０に対して係合又は係止する。
【００５２】
上記は、アダプタ４１２の一部として相補的な第２の接続形式４０４（図１２において全体を指す）を提供したが、他の構成もまた許容可能である。例えば、第２の接続形式４０４は、スプレーガンの一体部品として永久的に組み付ける又は設けることができる（例えば、上記のような第２の接続形式４０４をスプレーガン３０（図１）の入口ポート４８（図１）として、又は入口ポート４８において設けることができる）。更に、第１及び第２の接続形式４０２、４０４の位置を逆にすることができる。そのとき、他の実施形態では、第２の接続形式４０４を、蓋４１０に形成し又は設け、第１の接続形式４０２をスプレーガン入口（例えば、アダプタ、スプレーガン入口ポートなど）に形成する又は設けることができる。
【００５３】
本開示に記載の相補的な接続形式のいずれも、対応する蓋の残りの部分と一体に形成することができる。あるいは、これらの構成部品は、蓋の残りの部分と接続することができるように、最初は、接続形状を備える別個のモジュール部品又はアセンブリとして形成されてもよい。例えば、モジュール蓋アセンブリ５００が図１５に示され、モジュール液体出口５０２及びモジュール蓋基部５０４を含む。モジュール構成部品５０２、５０４は別々に形成された後、組み立てられる。大まかに言えば、モジュール液体出口５０２はステージ５１０と、液体出口５１２と、接続形式５１４（全体を指す）の構成部品とを含む。ステージ５１０は、下記のモジュール蓋基部５０４の対応する特徴に応じたサイズ及び形状であり、液体出口５１２及び接続形式５１４を支持している。接続形式５１４は上記の形態のいずれかを想定することができ、図１５の非制限的な例では、上記のように第１の接続形式５６（図４Ａ）とすることができる。本明細書で説明した任意の他の接続形式は、代替的に、モジュール液体出口５０２に組み込むことができる。
【００５４】
モジュール蓋基部５０４は、全体として、壁５２０と、壁５２０から突出したリム５２２とを含む。壁５２０は、中央開口５２４を形成し、ステージ５１０のサイズ及び形状に応じたサイズ及び形状となっている。中央開口５２４は、様々な形状及びサイズを想定することができるが、開口５２４の外径が液体出口５１２の内径よりも大きく、ステージ５１０の外径よりも小さいように概ね構成される。
【００５５】
モジュール蓋アセンブリ５００の組立は、中央開口５２４が液体出口５１２に通じている状態で、壁５２０にステージ５１０を固定することを含む。モジュール液体出口５０２は、いくつかの実施形態では、モジュール蓋基部５０４に、溶接及び／又は接着剤などによって固定される。いくつかの実施形態では、接着剤接合部及び／又は溶接接合部は、モジュール液体出口５０２をモジュール蓋基部５０４に組み付ける際に、液密シールを保持する、及び生成する両方の働きをする。クオーターターン係止、機械的係止機構の提供、ねじ、スナップフィット、他のメカニカルファスナー（例えば、ねじ、リベット、及び／又は冷間成形／熱間成形され、キノコ状にされて、構成部品を定位置に拘束／保持し、適切な漏れ防止シールとなる成型柱）などの他の取付技法もまた許容可能である。
【００５６】
モジュール液体出口５０２及びモジュール蓋基部５０４を使用して蓋５００を構築することにより、例えば射出成型を使用して可能となるものよりも複雑な幾何学的形状をうまく作り出すことができるという利点が得られる。例えば、所与の蓋５００においては、型分割線の位置のため、及び特定の特徴を形成するのに必要なスライドさせる経路を必要とするため、射出成型部品に特定な幾何学的形状を形成することが不可能なことがある。しかし、蓋５００がモジュール構成部品に分割されていると、一体の蓋ではアクセスできなかった各モジュール構成部品の表面に直接アクセスするように加工を計画することができる。したがって、幾何学的に更に複雑なものを実現することができる。
【００５７】
モジュール蓋構成部品５０２、５０４はまた、用途に対して望ましいような様々な材料で構築することができる。例えば、（スプレーガンとの確実で耐久性のある接続に必要な強度及び耐久性により）モジュール液体出口５０２にエンジニアリングプラスチックを使用することが望ましいことがあるが、一方では、モジュール蓋基部５０４に低コストのポリマーを使用することができる。
【００５８】
他の実施形態では、上記のように設けられたモジュール液体出口５０２は、その代わりに、塗料供給ライン又はパウチなどの端部に取り付けられて又は前もって組み付けられて、スプレーガンの塗料入口ポートに接続することができる。このようにして、塗料は、モジュール蓋基部５０４（又は他の収容容器構成部品）を必要とすることなく、スプレーガンに直接を供給することができる。
【００５９】
本開示のスプレーガン収容容器コネクタシステムは、従前の設計に勝る顕著な改善を提供する。
【００６０】
好ましい実施形態を参照しながら本開示を説明してきたが、本開示の趣旨及び範囲から逸脱しない範囲で形態及び細部の変更を行えることは、当業者であれば理解できるであろう。
【図１】
2019504753.tif 000003
【図２】
2019504753.tif 000004
【図３】
2019504753.tif 000005
【図４Ａ】
2019504753.tif 000006
【図４Ｂ】
2019504753.tif 000007
【図４Ｃ】
2019504753.tif 000008
【図４Ｄ】
2019504753.tif 000009
【図４Ｅ】
2019504753.tif 000010
【図５Ａ】
2019504753.tif 000011
【図５Ｂ】
2019504753.tif 000012
【図５Ｃ】
2019504753.tif 000013
【図６Ａ】
2019504753.tif 000014
【図６Ｂ】
2019504753.tif 000015
【図６Ｃ】
2019504753.tif 000016
【図６Ｄ】
2019504753.tif 000017
【図７】
2019504753.tif 000018
【図８Ａ】
2019504753.tif 000019
【図８Ｂ】
2019504753.tif 000020
【図９Ａ】
2019504753.tif 000021
【図９Ｂ】
2019504753.tif 000022
【図９Ｃ】
2019504753.tif 000023
【図９Ｄ】
2019504753.tif 000024
【図１０Ａ】
2019504753.tif 000025
【図１０Ｂ】
2019504753.tif 000026
【図１０Ｃ】
2019504753.tif 000027
【図１１】
2019504753.tif 000028
【図１２】
2019504753.tif 000029
【図１３Ａ】
2019504753.tif 000030
【図１３Ｂ】
2019504753.tif 000031
【図１３Ｃ】
2019504753.tif 000032
【図１３Ｄ】
2019504753.tif 000033
【図１３Ｅ】
2019504753.tif 000034
【図１４Ａ】
2019504753.tif 000035
【図１４Ｂ】
2019504753.tif 000036
【図１４Ｃ】
2019504753.tif 000037
【図１５】
2019504753.tif 000038
【国際調査報告】
2019504753.tif 000039
2019504753.tif 000040